(57)【要約】      （修正有）【課題】被載置面に固定せずに転倒を防止することと、平面型表示装置の表示面をショーウィンドウのガラスなどの前方の対象物に密着またはごく近接させて設置することが可能であるスタンドおよびそれを用いた情報端末を提供する。【解決手段】スタンド１２は、平面型表示装置１４を支持するものであり、床や地面等に載置されるベース板１８を備えている。ベース板１８上には、平面型表示装置１４と電気的に接続される情報処理装置１６が設置され、それよりも前方には、横方向に間隔を隔てた１対の支柱２０が立設される。各支柱２０の中部３８は、後方に曲げられており、この中部３８に連続しかつ垂直上方向に延びる上部４０の前方側に平面型表示装置１４が取り付けられる。【選択図】図１０
0003161332.tif 000002
【実用新案登録請求の範囲】
【請求項１】
前面が表示面である平面型表示装置を支持するスタンドであって、
前記平面型表示装置と電気的に接続される情報処理装置を設置するためのベース板、
各々が垂直上方向に延びる下部と、前記下部から後方に曲げられる中部と、前記中部から垂直上方向に延びる上部とを含む１対の支柱であって、それぞれの前記下部が前記ベース板上に、前記情報処理装置より前方に位置するように間隔を隔てて立設される支柱、および
前記平面型表示装置を前記一対の支柱の前記上部の前面側に取り付けるための取り付け手段を備える、スタンド。
【請求項２】
請求項１記載のスタンドを用いた情報端末であって、
前記取り付け手段によって前記上部の前面側に前記平面型表示装置を取り付けた、情報端末。
【請求項３】
前記ベース板上に設置されるケースをさらに備え、
前記ケースの内部に前記情報処理装置が収容される、請求項２記載の情報端末。
【請求項４】
前記ベース板上に設けられる位置決めピンをさらに備え、
前記位置決めピンが前記下部内に挿入され、当該下部の後面と前記ケースの前面とが固定される、請求項３記載の情報端末。
【請求項５】
前記ベース板は、第１ベース板と第２ベース板とを上下方向に重ね合わせることによって形成され、前記第１ベース板が被載置面上に載置され、前記第２ベース板上に前記支柱が立設される、請求項２記載の情報端末。
【請求項６】
前記取り付け手段は、一方の支柱の前記上部と他方の支柱の前記上部とに亘る取り付け部材を含み、前記取り付け部材の前面側に前記平面型表示装置が取り付けられる、請求項２ないし５のいずれかに記載の情報端末。
【考案の詳細な説明】
【技術分野】
【０００１】
この考案は、スタンドおよびそれを用いた情報端末に関し、特にたとえば、前面が表示面である平面型表示装置を支持する、スタンドおよびそれを用いた情報端末に関する。
【背景技術】
【０００２】
近年、液晶ディスプレイ等の様々な薄型の平面型表示装置が開発されているが、平面型表示装置はその大型化に伴い重量が重くなってきているため、平面型表示装置をスタンドによって支持するときには、スタンドの前後方向への転倒に対する安定性を確保する必要がある。
【０００３】
特許文献１の薄型表示装置用スタンドでは、薄型表示装置が載置される台部の下に、台部を支える支柱が垂直に設置されており、その支柱の下部には、転倒防止機構として、支柱の断面積よりも広い設置面を有したスタンド台が設けられている。
【特許文献１】特開２００９−３１６２４［Ｇ０９Ｆ  ９／００］
【考案の概要】
【考案が解決しようとする課題】
【０００４】
しかしながら、特許文献１の技術では、スタンド台の前後方向の長さ寸法を大きめに設定する必要があるため、薄型表示装置に対して前方に突き出すスタンド台が妨げとなって、薄型表示装置の表示面を前方の対象物に近接させることができないという問題がある。
【０００５】
また、スタンドの前後方向への転倒に対する安定性を確保する方法の１つとして、平面型表示装置を支持するスタンドをアンカボルトなどで床等の被載置面に固定することが考えられるが、この場合は、一旦スタンドを固定してしまうと、そのスタンドを薄型表示装置ごと移動させることが困難となってしまう。
【０００６】
それゆえに、この考案の主たる目的は、新規な、スタンドおよびそれを用いた画像表示装置を提供することである。
【０００７】
この考案の他の目的は、被載置面に固定せずにその転倒を防止することができる、スタンドおよびそれを用いた情報端末を提供することである。
【０００８】
また、この考案の他の目的は、平面型表示装置の表示面を前方の対象物に近接させて設置可能な、スタンドおよびそれを用いた情報端末を提供することである。
【課題を解決するための手段】
【０００９】
本考案は、上記の課題を解決するために、以下の構成を採用した。なお、括弧内の参照符号および補足説明などは、本考案の理解を助けるために後述する実施の形態との対応関係を示したものであって、本考案を何ら限定するものではない。
【００１０】
第１の考案は、前面が表示面である平面型表示装置を支持するスタンドであって、平面型表示装置と電気的に接続される情報処理装置を設置するためのベース板、各々が垂直上方向に延びる下部と、下部から後方に曲げられる中部と、中部から垂直上方向に延びる上部とを含む１対の支柱であって、それぞれの下部がベース板上に、情報処理装置より前方に位置するように間隔を隔てて立設される支柱、および平面型表示装置を一対の支柱の上部の前面側に取り付けるための取り付け手段を備える、スタンドである。
【００１１】
第１の考案では、スタンド（１２）は、前面が表示面（１４ａ）である平面型表示装置（１４）を支持するものであり、床や地面等の被載置面上に載置されるベース板（１８）を備えている。ベース板上には、平面型表示装置と電気的に接続される情報処理装置（１６）が設置される。また、ベース板上の、情報処理装置より前方の位置には、横方向に間隔を隔てた１対の支柱（２０）が立設される。各支柱は、垂直上方向に延びる下部（３６）と、下部から後方に曲げられる中部（３８）と、中部から垂直上方向に延びる上部（４０）とを含み、その上部の前方側に取り付け手段（４２，４４）によって平面型表示装置が取り付けられる。
【００１２】
第１の考案によれば、支柱の中部を後方に曲げて、平面型表示装置、スタンドおよび情報処理装置の合成の重心を、載置面上に設置されているベース板の前後方向の中間点と同一またはほぼ同一垂直面上に並ぶようにしたので、ベース板に対して前後方向への回転モーメントが作用しないかまたは小さくなる。よって、スタンドをアンカボルトなどで被載置面に固定しなくても、スタンドが平面型表示装置ごと転倒することがない。そのため、ベース板を大きくして安定化を図る必要がなく、したがって、ベース板が支柱よりも前方に突出することがないので、平面型表示装置の表示面をショーウィンドウのガラスなどの前方の対象物に密着させまたは近接させて設置することが可能である。
【００１３】
第２の考案は、第１の考案のスタンドを用いた情報端末であって、取り付け手段によって前記上部の前面側に前記平面型表示装置を取り付けた、情報端末である。
【００１４】
第２の考案では、情報端末（１０）は、スタンド（１２）を被載置面上に載置して、支柱（２０）の上部（４０）に平面型表示装置（１４）を取り付けるとともに、ベース板（１８）上に情報処理装置（１６）を設置することによって構成される。
【００１５】
第３の考案は、第２の考案に従属し、ベース板上に設置されるケースをさらに備え、ケースの内部に情報処理装置が収容される。
【００１６】
第３の考案では、ベース板（１８）上には、支柱（２０）よりも後方側の位置に、ケース（４６）が設けられ、このケースの内部に情報処理装置（１６）が収容される。
【００１７】
第４の考案は、第３の考案に従属し、ベース板上に設けられる位置決めピンをさらに備え、位置決めピンが下部内に挿入され、当該下部の後面とケースの前面とが固定される。
【００１８】
第４の考案では、ベース板（１８）上には、位置決めピン（２８）が設けられる。位置決めピンは、たとえば円柱形状等の突起であり、支柱（２０）の下部（３６）の中に挿入される。そして、この下部の後面とケース（４６）の前面とがたとえばボルト止めによって固定される。
【００１９】
第４の考案によれば、ベース板を載置面上に載置したまま、支柱をベース板から取り外して、支柱に取り付けられている平面型表示装置のメンテナンスを行うことができる。
【００２０】
第５の考案は、第２の考案に従属し、ベース板は、第１ベース板と第２ベース板とを上下方向に重ね合わせることによって形成され、第１ベース板が被載置面上に載置され、第２ベース板上に支柱が立設される。
【００２１】
第５の考案では、ベース板（１８）は、第１ベース板（２２）と第２ベース板（２４）とを上下方向に重ね合わせることによって形成される。このため、第１ベース板を載置面上に載置したまま、第２ベース板のみを取り外すことが可能である。
【００２２】
第５の考案によれば、第１ベース板を載置面上に載置したまま、第２ベース板上に立設された支柱に取り付けられている平面型表示装置のメンテナンスを行うことができる。
【００２３】
第６の考案は、第２ないし５のいずれかの考案に従属し、取り付け手段は、一方の支柱の上部と他方の支柱の上部とに亘る取り付け部材を含み、取り付け部材の前面側に平面型表示装置が取り付けられる。
【００２４】
第６の考案では、支柱（２０）の上部（４０）には、一方の支柱の上部と他方の支柱の上部とに亘る取り付け部材（４２）が設けられ、この取り付け部材の前面側に平面型表示装置（１４）が取り付けられる。
【考案の効果】
【００２５】
この考案によれば、スタンドをアンカボルトなどで被載置面に固定しなくても、スタンドが平面型表示装置ごと転倒することがない。そのため、情報端末の配置換えが容易に行える。
【００２６】
この考案の上述の目的，その他の目的，特徴および利点は、図面を参照して行う以下の実施例の詳細な説明から一層明らかとなろう。
【図面の簡単な説明】
【００２７】
【図１】この考案の一実施例の情報端末を示す斜視図である。
【図２】図１のスタンドを示す斜視図である。
【図３】図１のスタンドのベース板の構造を模式的に示す図解図である。
【図４】図３の第１ベース板の下面を示す平面図である。
【図５】図１の情報端末を示す正面図である。
【図６】図１の情報端末を示す側面図である。
【図７】図１の情報端末を示す背面図である。
【図８】図１のスタンドのケースの構造を模式的に示す図解図である。
【図９】平面型表示装置をスタンドに取り付ける様子を説明するための図解図である。
【図１０】図１の情報端末の重心の位置を示す図解図である。
【図１１】この考案の他の一実施例の情報端末の重心の位置を示す図解図である。
【考案を実施するための形態】
【００２８】
図１を参照して、この考案の一実施例である情報端末１０は、前面が表示面１４ａである平面型表示装置１４を支持するスタンド１２と、平面型表示装置１４と電気的に接続される情報処理装置１６とを備えており、たとえば広告や宣伝等の表示情報を含む各種コンテンツを表示するデジタルサイネイジとして好適に用いられる。
【００２９】
なお、この実施例では、平面型表示装置１４として、たとえば重量が約４８ｋｇの４６インチの液晶ディスプレイが用いられ、情報処理装置１６として、たとえば重量が３ｋｇのパーソナルコンピュータ（ＰＣ）が用いられる。
【００３０】
図２に示すように、スタンド１２は、ベース板１８、およびベース板１８上に立設される一対の支柱２０を備えており、床や地面等の被載置面上に載置される。
【００３１】
ベース板１８は、鉄やステンレス等の金属によって矩形の板状に形成され、その前後方向（奥行き）の長さは、たとえば２１４ｍｍであり、その横方向（幅方向）の長さは、たとえば１０５０ｍｍであり、その上下（高さ）方向の長さは、たとえば４０ｍｍである。また、ベース板１８の重量は、約１０ｋｇである。
【００３２】
図３に示すように、ベース板１８は、第１ベース板２２と第２ベース板２４とを上下方向に重ね合わせることによって形成される。第１ベース板２２と第２ベース板２４とは、それぞれの所定位置に形成されたボルト孔にＭ８ボルト等のボルト２６を挿通し、そのボルト２６をたとえば第１ベース板２２の下面にスポット溶接等で取り付けられたナット（図示せず）に締め付けて固定することによって固着される。
【００３３】
第１ベース板２２の上面には、横方向に間隔を隔てて２つの位置決めピン２８が設けられる。位置決めピン２８は、切頭円錐形等の突起状に形成され、たとえば第１ベース板２２上の前方側の角部にそれぞれ１つずつ設けられる。位置決めピン２８は、第２ベース板２４ならびに支柱２０を位置決めするためのものであり、後に詳細を説明するように、第２ベース板２４のピン挿通部３４を介して、支柱２０の下部３６の中に挿入される。
【００３４】
さらに、第１ベース板２２の下面には、複数、この実施例では６つの脚部３０が設けられる。図４に示すように、この実施例では、脚部３０は、第１ベース板２２の４つの角部および横方向の中間部の合計６箇所に１つずつ設けられ、その下端面がたとえば各辺が５０ｍｍの正方形状に形成されている。脚部３０の下端面は、スチレン系のポリマー等からなる弾性部材３２によって被覆されており、このような弾性部材３２の具体例として、たとえば市販品では、北川工業（株）製のタックフィット（商品名）等が好適に用いられるが、これに限定される必要はない。
【００３５】
図３に戻って、第２ベース板２４は、下面が開放された略中空直方体状に形成され、第１ベース板２２よりもやや大きい寸法を有している。よって、第１ベース板２２の上に第２ベース板２４を重ね合わせたときには、第１ベース板２２の上面と側面とが第２ベース板２４に覆われることとなる。
【００３６】
第２ベース板２４には、第１ベース板２２の位置決めピン２８に対応する位置に、ピン挿通部３４が形成される。ピン挿通部３４は、たとえば円形等の開口であり、第１ベース板２２と第２ベース板２４とを重ね合わせたときには、第１ベース板２２の位置決めピン２８が挿通される。つまり、位置決めピン２８によって、第１ベース板２２の上に置かれた第２ベース板２４がずれないようにされるため、第１ベース板２２と第２ベース板２４とのボルト止めも容易に行える。
【００３７】
図２に示すように、ベース板１８の上面には、位置決めピン２８に対応する位置に、横方向に間隔を隔てた一対の支柱２０が立設される。ただし、支柱２０の相互間隔は、典型的にはそれに装架する平面型表示装置１４の横幅に相関して決められる。
【００３８】
支柱２０は、下部３６、中部３８、および上部４０を含み、鉄やステンレス等の金属からなる断面略四角形の中空パイプ状に形成される。一例として、支柱２０には、４０×４０ｍｍの角パイプが用いられ、その厚みは、たとえば２．３ｍｍであり、その上下方向の長さは、たとえば１２５０ｍｍである。また、支柱２０の重量は、約１０ｋｇである。
【００３９】
支柱２０の下部３６は、垂直上方向に延び、その内部には、上述したように、ベース板１８上に設けられている位置決めピン２８が挿入される。
【００４０】
支柱２０の下部３６は、垂直上方向に延び、その内部には、上述したように、ベース板１８上に設けられている位置決めピン２８が挿入される。このように、支柱２０の下部３６の内部に収容されることによって、位置決めピン２８が目視不可能な位置に隠される。したがって、位置決めピン２８が目立つことはなく、情報端末１０の美観を損なうこともない。
【００４１】
支柱２０の中部３８は、下部３６から連続しており、かつ後方に曲げられる。中部３８の後方への曲げの曲率は、一例として、平面型表示装置１４をスタンド１２の支柱２０に取り付けて、スタンド１２のベース板１８上に情報処理装置１６を設置したときに、平面型表示装置１４、スタンド１２および情報処理装置１６の合成の重心Ｇとスタンド１２のベース板１８の前後方向の中間点とが同一またはほぼ同一垂直面上に並ぶように設定されている（図１０参照）。このため、支柱２０の中部３８の曲率は、スタンド１２の重量、平面型表示装置１４の重量、および情報処理装置１６の重量等を勘案することによって適宜設定されることとなる。
【００４２】
支柱２０の上部４０は、中部３８から連続しており、かつ垂直上方向に延びる。上部４０には、上下方向に所定の間隔を隔てて２つの取り付け部材４２が設けられる。取り付け部材４２は、一方の支柱２０の上部４０と他方の支柱２０の上部４０とに亘る矩形の板状体であり、支柱２０の上部４０にボルト止め等の適宜の固定手段によって固定される。
【００４３】
取り付け部材４２には、複数、この実施例では２つの係止部４４が形成される。係止部４４は、図９からよくわかるように、円形の開口である上開口４４ａの下側に、上開口４４ａよりも小径の下開口４４ｂを連続させた略瓢箪状に形成され、詳細は後に説明するように、この係止部４４に平面型表示装置１４の後面に設けられた係止ピン８６を係止させることにより、支柱２０の上部４０の前面側に平面型表示装置１４が取り付けられることとなる。
【００４４】
図５−図７に示すように、スタンド１２のベース板１８（第２ベース板２４）上の支柱２０よりも後方には、ケース４６が設けられ、このケース４６の内部に、平面型表示装置１４と電気的に接続される情報処理装置１６が収容される。
【００４５】
ケース４６は、鉄やステンレス等の金属によって下面が開放された略中空直方体状に形成され、その前後方向の長さは、たとえば１６４ｍｍであり、横方向の長さは、たとえば１０５０ｍｍであり、その上下方向の長さは、たとえば３２１ｍｍである。また、ケース４６の重量は、約１０ｋｇである。
【００４６】
図８に示すように、ケース４６は、第１ケース部４８と第２ケース部５０とを組み合わせることによって形成される。第１ケース部４８と第２ケース部５０とは、それぞれの所定位置に形成されたボルト孔にＭ８ボルト等のボルト５２を挿通し、そのボルト５２をナットに締め付けて固定することによって固着される。
【００４７】
第１ケース部４８は、ケース４６の前面を構成する前板５４を含み、ベース板１８（第２ベース板２４）に固定される。
【００４８】
前板５４は、矩形の板状体であり、その略中央部には、パンチングメタル等からなるメッシュ状の通気部５６が形成されている。通気部５６は、ケース４６の内外の通気性を向上させるためのものであり、この通気部５６を介してケース４６内に外気が取り込まれ、他方、情報処理装置１６の温度上昇によるケース４６内の暖かい空気が通気部５６を介して排出されることにより、情報処理装置１６を冷却する。
【００４９】
また、前板５４の横方向の両端部のそれぞれには、複数、この実施例では３つのボルト孔５８が上下方向に並んで形成されており、このボルト孔５８に挿通したＭ８ボルト等のボルトを、支柱２０の下部３６の後面側に設けられたポップナット（図示せず）に締め付けて固定することによって、第１ケース部４８と支柱２０の下部３６とが固着される。
【００５０】
また、前板５４の下端縁には、後方（つまり、ケース１８の内部方向）に向けて直角に立ち上がる第１鍔部６０が形成される。第１鍔部６０の所定位置には、複数、この実施例では７つのボルト孔が形成されており、このボルト孔と第２ベース板２４の所定位置に形成されたボルト孔とにＭ８ボルト等のボルト６２を挿通し、そのボルト６２をたとえば第２ベース板２４の下面にスポット溶接等で取り付けられたナットに締め付けて固定することによって、第１ケース部４８と第２ベース板２４とが固着される（図３参照）。
【００５１】
また、前板５４の横方向の両端縁には、後方に向けて直角に立ち上がる第２鍔部６４が形成され、その所定位置には、ボルト５２を挿通させるためのボルト孔が形成されている。
【００５２】
さらにまた、前板５４の上端縁には、後方に向けて立ち上がる第３鍔部６６が形成され、その所定位置には、ボルト５２を挿通させるためのボルト孔が形成されている。
【００５３】
第２ケース部５０は、ケース４６の後面を構成する後板６８、側面を構成する側板７０，７０、天面を構成する天板７２を含み、第１ケース部４８に固定される。
【００５４】
後板６８は、矩形の板状体であり、その下部には、コード挿通口７４が設けられる。コード挿通口７４は、たとえば円形等の開口であり、コンセントの位置等に適宜対応できるように、後板６８の横方向の端部にそれぞれ１つずつ形成されている。図６および図７に示すように、コード挿通口７４には、情報処理装置１６をネットワークに接続するための通信コードや、情報処理装置１６を交流電源に接続するための電源コードなどの、外部接続用コード７６が挿通される。なお、コード挿通口７４の周縁は、コード類を損傷させてしまうことがないように、ゴム、プラスチック等の弾性材料で被覆されている。
【００５５】
また、後板６８の略中央部には、図示しない開口が形成されており、この開口には、蓋体７８が設けられている。蓋体７８は、脱着可能な方法で後板６８に取り付けられており、この蓋体７８を外すことによって、ケース４６の内部に情報処理装置１６を収容したり、ケース４６の内部に収容している情報処理装置１６の交換や維持管理をしたりすることが可能となる。
【００５６】
図８に示すように、側板７０は、矩形の板状体であり、その所定位置には、ボルト５２を挿通させるためのボルト孔が形成されている。側板７０の略中央部には、ケース４６の内外の通気性を向上させるための、パンチングメタル等からなるメッシュ状の通気部８０が形成されている。通気部８０については、通気部５０と同様であるため、その詳細な説明は省略する。
【００５７】
天板７２は、矩形の板状体であり、その所定位置には、ボルト５２を挿通させるためのボルト孔が形成されている。天板７２には、コード挿通口８２が設けられる。コード挿通口８２は、たとえば円形等の開口であり、平面型表示装置１４の入力端子等の位置に適宜対応できるように、天板７２の横方向の端部のそれぞれに１つずつ配置される。図６および図７に示すように、コード挿通口８２には、情報処理装置１６の映像を平面型表示装置１４に出力する映像出力コードや、情報処理装置１６の音声を平面型表示装置１４に出力する音声出力コードなどの、表示装置接続用コード８４が挿通される。コード挿通口８２の周縁は、コード類を損傷させてしまうことがないように、ゴム、プラスチック等の弾性材料で被覆されている。
【００５８】
図１に示す実施例の情報端末１０を構成するには、先ず、スタンド１２を床や地面等の被載置面上に載置して、支柱２０の前方側に平面型表示装置１４を取り付ける。具体的には、図９（ａ）に示すように、平面型表示装置１４の後面に設けられた係止ピン８６を、支柱２０の上部４０に設けられた取り付け部材４２の係止部４４の上開口４４ａに挿通させる。そして、図９（ｂ）に示すように、そのまま平面型表示装置１４の係止ピン８６を係止部４４の下開口４４ｂにスライドさせることにより、係止ピン８６を下開口４４ｂに係止させる。そして、ケース４６の内部に情報処理装置１６を収容し、情報処理装置１６の外部接続用コード７６をコード挿通口７４を介して屋内のコンセント等に接続するとともに、表示装置接続用コード８４をコード挿通口８２を介して平面型表示装置１４の入力端子等に接続する。
【００５９】
この実施例では、支柱２０の中部３８を後方に曲げて、図１０に示すように、スタンド１２、平面型表示装置１４、および情報処理装置１６の合成の重心を、スタンド１２のベース板１８の前後方向の中間点と同一またはほぼ同一垂直面上に並ぶようにしたので、載置面１４上に載置されているベース板１８に対して回転モーメントが作用しないかそれが小さくなっている。したがって、スタンド１２をアンカボルトなどで被載置面１４に固定しなくても、スタンド１２が平面型表示装置１４ごと転倒してしまうことがない。
【００６０】
さらに、たとえば地震動等によって外力が作用して情報端末１０が前後どちらかに傾いても、上述の重心の配置によって傾いた情報端末１０をもとの状態に戻そうとする復原力が働くため、情報端末１０の転倒を防止することができる。
【００６１】
なお、特許文献１のように、スタンド台が薄型表示装置に対して前方に突き出していると、このスタンド台が妨げとなって、薄型表示装置の表示面を前方の対象物に近接させて設置することができないが、この実施例では、転倒の可能性が極めて小さいため、ベース板１８を大きくして支柱２０よりも前に突出させることによって安定化を図る必要がない。つまり、ベース板１８の前端が平面型表示装置１４の前面よりも前に出ないので、平面型表示装置１４の表示面１４ａをショーウィンドウのガラスなどの前方の対象物に密着あるいはごく近接させて設置することが可能である。
【００６２】
さらに、この実施例では、ベース板１８が第１ベース板２２と第２ベース板２４とを上下方向に重ね合わせることによって形成されるため、第１ベース板２２を載置面上に載置したまま、第２ベース板２４のみを取り外すことが可能である。したがって、第１ベース板２２を載置面１４上に載置したまま、支柱２０に取り付けられた平面型表示装置１４や、ケース４６に収容された情報処理装置１６のメンテナンスを行うことができる。
【００６３】
また、第１ベース板２２上に設けられた位置決めピン２８が下部３６の中に挿入されて、この下部３６の後面とケース４６の前面（前板５４）とが固定されるため、ベース板１８を載置面１４上に載置したまま、支柱２０のみをベース板１８から取り外すことが可能である。したがって、第１ベース板２２を載置面１４上に載置したまま、支柱２０に取り付けられた平面型表示装置１４のメンテナンスを行うことができる。
【００６４】
さらにまた、この実施例によれば、図１１に示すように、支柱２０の上部４０を垂直上方向に延長させて平面型表示装置１４の設置高さを高くしても、スタンド１２、平面型表示装置１４、および情報処理装置１６の合成の重心と、スタンド１２のベース板１８の前後方向の中間点との前後方向における位置関係が変化しないため、その安定を保つことができる。つまり、平面型表示装置１４の設置高さを可変に設定することが可能であり、汎用性に優れる。なお、考案者は、図１（図１０）の実施例では、支柱２０の上端までの高さを１３５０ｍｍとし、図１１の実施例では１８００ｍｍに設定し、転倒試験を行った。その結果、両実施例とも、震度６強程度までは転倒しないことが確認できた。
【００６５】
なお、上述の実施例では、平面型表示装置１４として、４６インチの液晶ディスプレイが用いられたが、これに限定される必要はなく、プレズマディスプレイやＬＥＤディスプレイなどを平面型表示装置１４として利用することができる。
【００６６】
また、上述の実施例では、情報処理装置１６として、パーソナルコンピュータ（ＰＣ）が用いられたが、これに限定される必要はない。この実施例における「情報処理装置」とは、パーソナルコンピュータのみならず、たとえば、ＤＶＤプレーヤやブルーレイプレーヤ等の映像再生機器などを含む概念である。
【００６７】
さらに、上述の実施例では、平面型表示装置１４の後面に設けられた係止ピン９８を取り付け部材４２の係止部４４に係止させることにより、支柱２０の上部４０に平面型表示装置１４を取り付けたが、これに限定される必要はなく、支柱２０の上部４０の前面側に平面型表示装置１４を直接ボルト止めする方法や、取り付け部材４２の前面側に平面型表示装置１４を直接ボルト止めする方法や、支柱２０の上部４０の上端に、前方に突出する吊り下げ部材を設けて、この吊り下げ部材に平面型表示装置１４を吊り下げる方法等によって、支柱２０の上部４０に平面型表示装置１４を取り付けてもよい。要は、平面型表示装置１４を支柱２０の上部４０の前面側に起立状態で取り付けることができるのであれば、適宜の取り付け手段を採用することができる。
【００６８】
また、上述の実施例では、下部３６、中部３８、および上部４０からなる支柱２０を１本の長尺の角パイプを用いて形成したが、これに限定される必要はなく、２本或いは３本以上のパイプ材を連結させることによって支柱２０を形成してもよい。
【００６９】
さらに、横方向に所定の間隔を隔てて２つの支柱２０がベース板１８上に立設されたが、これに限定される必要もなく、ベース板１８上に支柱２０を立設する本数などは、支柱２０に固定する平面型表示装置１４の重量や設置高さなどに応じて適宜設定してよい。
【００７０】
なお、上述した具体的数値は、いずれも単なる一例であり、必要に応じて適宜変更可能である。
【符号の説明】
【００７１】
１０  …情報端末
１２  …スタンド
１４  …平面型表示装置
１４ａ  …表示面
１６  …情報処理装置
１８  …ベース板
２０  …支柱
２２  …第１ベース板
２４  …第２ベース板
２８  …位置決めピン
３６  …下部
３８  …中部
４０  …上部
４２  …取り付け部材
４４  …係止部
８６  …係止ピン
【図１】
0003161332.tif 000003
【図２】
0003161332.tif 000004
【図３】
0003161332.tif 000005
【図４】
0003161332.tif 000006
【図５】
0003161332.tif 000007
【図６】
0003161332.tif 000008
【図７】
0003161332.tif 000009
【図８】
0003161332.tif 000010
【図９】
0003161332.tif 000011
【図１０】
0003161332.tif 000012
【図１１】
0003161332.tif 000013